【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
インクジェットプリントヘッドを有するインクジェットプリンタならびに前端および後端を有する媒体シートとともに使用するためのプリントヘッド保護システムであって、前記プリントヘッドは上昇するように適合されており、前記媒体シートは工程経路に沿って工程方向に移動し、
前記プリントヘッド保護システムは、
前記媒体シートを前記工程経路に沿って搬送し、前記媒体シートを概して平坦なままにするための媒体輸送部と、
前記媒体輸送部の下で、前記プリントヘッドの上流に配置されている少なくとも１つの音響センサであって、前記音響センサは、前記媒体輸送部又は前記媒体シートに接触せずに、前記媒体輸送部と前記媒体シートとの組み合わさった厚さを音響的に測定するように適合されている、少なくとも１つの音響センサと、
前記媒体シートが前記媒体輸送部と接しているか否かを検出するように、前記媒体輸送部と前記媒体シートとの前記組み合わさった厚さを分析するための、前記音響センサに動作可能に接続されている分析器であって、前記分析器は、前記媒体シートが前記媒体輸送部と接していないときはエラー信号を生成するように適合されている、分析器と、
前記信号に応答してプリントヘッド損傷を軽減するように動作可能な軽減制御装置と、
を備える、プリントヘッド保護システム。
【請求項２】
前記媒体輸送部はプラテンをさらに備える、請求項１に記載のプリントヘッド保護システム。
【請求項３】
前記媒体輸送部は前記プラテンの周囲を動くベルトをさらに備える、請求項２に記載のプリントヘッド保護システム。
【請求項４】
前記ベルトを操作可能に駆動するステッパ駆動モータと、
経時的なベルトの変動および損耗を補償することを可能にするために、前記システムが最下点および最高点をベルトループとしてマッピングすることを可能にするように、前記ステッパ駆動モータおよび前記分析器に動作可能に接続されているステッパ制御装置と、
をさらに備える、請求項３に記載のプリントヘッド保護システム。
【請求項５】
前記媒体輸送部は、真空押さえをさらに備える、請求項１に記載のプリントヘッド保護システム。
【請求項６】
前記軽減制御装置は、前記信号に応答してシート供給を停止するように適合されている、請求項１に記載のプリントヘッド保護システム。
【請求項７】
前記軽減制御装置は、前記信号に応答して、前記媒体シートを前記工程経路から外方へ方向付けるように適合されている、請求項１に記載のプリントヘッド保護システム。
【請求項８】
前記軽減制御装置は、前記信号に応答して、前記プリントヘッドを上昇させるように適合されている、請求項１に記載のプリントヘッド保護システム。
【請求項９】
インクジェットプリントヘッドを有するインクジェットプリンタならびに前端および後端を有する媒体シートとともに使用するためのプリントヘッド保護システムであって、前記プリントヘッドは上昇するように適合されており、前記媒体シートは工程経路に沿って工程方向に移動し、
前記プリントヘッド保護システムは、
前記媒体シートを前記工程経路に沿って搬送し、前記媒体シートを概して平坦なままにするための媒体輸送部であって、前記媒体輸送部はベルトおよび前記ベルトを支持するプラテンを含む、媒体輸送部と、
前記媒体輸送部の下で、前記プリントヘッドの上流に配置されている複数の音響センサであって、前記音響センサは、前記工程方向に対して横方向に配列されており、前記音響センサは、前記媒体輸送部又は前記媒体シートに接触せずに、前記ベルトおよび前記プラテンと前記媒体シートとの組み合わさった厚さを音響的に測定するように適合されている、複数の音響センサと、
前記媒体シートが前記媒体輸送部と接しているか否かを検出するように、前記ベルトおよび前記プラテンと前記媒体シートとの前記組み合わさった厚さを分析するための、前記音響センサに動作可能に接続されている分析器であって、前記分析器は、前記媒体シートが前記媒体輸送部と接していないときはエラー信号を生成するように適合されている、分析器と、
前記信号に応答してプリントヘッド損傷を軽減するように動作可能な軽減制御装置と、
を備える、プリントヘッド保護システム。
【請求項１０】
前記ベルトを操作可能に駆動するステッパ駆動モータと、
経時的なベルトの変動および損耗を補償するために、前記システムが最下点および最高点をベルトループとしてマッピングすることを可能にするように、前記ステッパ駆動モータおよび前記分析器に動作可能に接続されているステッパ制御装置と、
をさらに備える、請求項９に記載のプリントヘッド保護システム。
【請求項１１】
前記媒体輸送部は真空押さえをさらに備える、請求項９に記載のプリントヘッド保護システム。
【請求項１２】
前記媒体輸送部は静電押さえをさらに備える、請求項９に記載のプリントヘッド保護システム。
【請求項１３】
前記軽減制御装置は、前記信号に応答してシート供給を停止するように適合されている、請求項９に記載のプリントヘッド保護システム。
【請求項１４】
前記軽減制御装置は、前記信号に応答して、前記媒体シートを前記工程経路から外方へ方向付けるように適合されている、請求項９に記載のプリントヘッド保護システム。
【請求項１５】
前記軽減制御装置は、前記信号に応答して、前記プリントヘッドを上昇させるように適合されている、請求項９に記載のプリントヘッド保護システム。
【請求項１６】
インクジェットプリントヘッドを有するインクジェットプリンタならびに前端および後端を有する媒体シートとともに使用するためのプリントヘッド保護のための方法であって、前記プリントヘッドは上昇するように適合されており、前記媒体シートは工程経路に沿って工程方向に移動し、
前記方法は、
前記プリントヘッドに隣接して媒体輸送部を設けることと、
前記媒体輸送部上で前記媒体シートを前記工程経路に沿って搬送することと、
前記媒体輸送部を用いて前記媒体シートを概して平坦なままにすることと、
少なくとも１つの音響センサを、前記媒体輸送部の下で、前記プリントヘッドの上流に配置することと、
前記媒体輸送部又は前記媒体シートに接触せずに、前記音響センサを用いて、前記媒体輸送部と前記媒体シートとの組み合わさった厚さを音響的に測定し、測定された厚さを判定することと、
前記音響センサに分析器を動作可能に接続することと、
前記分析器によって前記測定された前記媒体輸送部と前記媒体シートとの組み合わさった厚さを分析することと、
前記組み合わさった厚さに基づいて、前記媒体シートが前記媒体輸送部と接しているか否かを検出することと、
前記媒体シートが前記媒体輸送部と接している場合に印刷を継続することと、
前記媒体シートが前記媒体輸送部と接していないときはエラー信号を生成することと、
前記分析器に軽減制御装置を動作可能に接続することと、
前記エラー信号に応答して前記軽減制御装置を用いてプリントヘッド損傷を軽減することと、
を含む、方法。
【請求項１７】
各タイプの媒体の較正厚さを決定するために、前記媒体輸送部の各タイプの媒体との組み合わさった厚さを測定し、前記較正厚さを前記分析器に記憶することと、
前記媒体シートについて前記分析器を用いて前記測定厚さを前記較正厚さと比較することと、
前記測定厚さが概して前記較正厚さと同じであるときに、前記媒体シートは前記媒体輸送部と接していると判定することと、
前記測定厚さが概して前記較正厚さよりも薄いときに、前記媒体シートは前記媒体輸送部と接していないと判定することと、
をさらに含む、請求項１６に記載の方法。
【請求項１８】
前記少なくとも１つの音響センサを配置することは、
前記媒体輸送部の下で、前記プリントヘッドの上流に複数の音響センサを配置することと、
前記音響センサを、前記工程方向に対して横方向に配列することと、
をさらに含む、請求項１６に記載の方法。
【請求項１９】
前記媒体輸送部にプラテンを供給することと、
前記媒体シートを支持するためにベルトを前記媒体輸送部に供給することと、
前記プラテン上で前記ベルトを動かすことと、
をさらに含む、請求項１６に記載の方法。
【請求項２０】
ステッパ駆動モータによって動作可能に前記ベルトを駆動させることと、
前記ステッパ駆動モータおよび前記分析器に動作可能にステッパ制御装置を接続することと、
前記ステッパ制御装置および前記分析器によって、最下点および最高点をベルトループとしてマッピングすることと、
経時的なベルトの変動および損耗を補償することと、
さらに含む、請求項１６に記載の方法。
【請求項２１】
前記プリントヘッド損傷を軽減することは、前記信号に応答してシート供給を停止することをさらに含む、請求項１６に記載の方法。
【請求項２２】
前記プリントヘッド損傷を軽減することは、前記信号に応答して、前記媒体シートを前記工程経路から外方へ方向付けることをさらに含む、請求項１６に記載の方法。
【請求項２３】
前記媒体輸送部は静電押さえをさらに備える、請求項１に記載のプリントヘッド保護システム。